(57)【要約】【課題】従来の帯状開封構造と同等の開封機能と強度を持ち、かつ、紙箱を解体する際にも手が痛くならない帯状開封構造とと該開封構造を設けた段ボール箱又は紙箱を提供すること。【解決手段】紙箱（２０）等の開口予定部に開封方向に沿って先端部分と末端部分を曲げた曲線状の切れ目線（３）が断続的に同一位相で規則的に二列平行に設けられている。曲線状の切れ目線（３）は直線状の横線とその横線の一端の斜線との組合せによるくの字を斜線が内側に位置するように横にして連続して並べたくの字状の屈曲線であって、屈曲部では曲線状に曲がり先端部分及び末端部分ともに開封方向に対して外側に曲がった変形３の字状に形成され、変形３の字の水平線が同一線上に並ぶように同一方向につなぎ部分を介在させて連続して設けられている。【選択図】図１
2004175366.tif 000002
【特許請求の範囲】
【請求項１】
紙箱等の開口予定部に、開封方向に沿って先端部分と末端部分を曲げた曲線状の切れ目線が断続的に同一位相で規則的に二列平行に設けられていることを特徴とする、帯状の開封構造。
【請求項２】
前記曲線状の切れ目線は、直線状の横線と、その横線の一端の斜線との組合せによるくの字を斜線が内側に位置するように横にして連続して並べたくの字状の屈曲線であって、
前記屈曲線が、屈曲部では曲線状に曲がり、先端部分及び末端部分ともに開封方向に対して外側に曲がった変形３の字状に形成され、該変形３の字の前記水平線が同一線上にならぶように同一方向につなぎ部分を介在させて連続して設けられていることを特徴とする、請求項１記載の帯状の開封構造。
【請求項３】
前記２本の連続して並べた屈曲線は、帯の横方向の中心線に対して上下対称に設けられていることを特徴とする、請求項１又は２記載の帯状の開封構造。
【請求項４】
請求項１、２又は３記載の帯状の開封構造を開口予定部に設けたダンボール箱又は紙箱。
【発明の詳細な説明】
【０００１】
【発明の属する技術分野】
本発明は紙箱など紙器の開口部に用いられる帯状の開封構造に関し、特には、切り口が丸みを帯びる帯状の開封構造と該開封構造を設けたダンボール箱又は紙箱に関する。
【０００２】
【従来の技術】
従来、紙箱など紙器の開封構造の一つに、紙箱の開口部に、例えば、図４、図５に示すような、ミシン目状の切れ目線を２本平行に設けた帯状構造（１００）があり、このような開封構造を備えた紙箱はジッパー付きカートンと呼ばれ菓子類、冷凍食品等を収納する容器として多用されている。
【０００３】
しかしながらこの方式の開封構造は、図６に示すように、直線状の横線（１）とその一端の斜線（２）との組合せによるくの字状の屈曲線（３）をつなぎ部分（ｔ）を介在させて連続して設けた構造からなるため、帯状構造（１００）を引っ張って紙箱を開封し、内容物を取り出した後、紙箱を解体するなどの際、紙箱の帯状構造を除いた後の切り口の先端部分（１０１）が鋭角であるため、特に厚手の板紙や硬度のある板紙では、手に触ると痛く、まれには怪我をする危険性がある（図７参照）。
【発明が解決しようとする課題】
【０００４】
本発明は、従来の帯状開封構造に関する以上のような問題を解決するためになされたもので、従来の帯状開封構造と同等の開封機能と強度を持ち、かつ、紙箱を解体する際にも手が痛くないならない構造を有する帯状の開封構造と該開封構造を設けたダンボール箱又は紙箱を提供することを課題とする。
【０００５】
【課題を解決するための手段】
本発明の請求項１の発明は、紙箱等の開口予定部に、開封方向に沿って先端部分と末端部分を曲げた曲線状の切れ目線が断続的に同一位相で規則的に二列平行に設けられていることを特徴とする、帯状の開封構造である。
【０００６】
このように請求項１記載の発明によれば、紙箱等の開口予定部に、開封方向に沿って先端部分と末端部分を曲げた曲線状の切れ目線が断続的に同一位相で規則的に二列平行に設けられているので、帯状の開封構造を破って開封した際、帯を除いた紙箱の容器部分の切り口は丸みを帯び、手で押しても痛くない。
【０００７】
また、請求項２の発明は、請求項１の発明において、前記曲線状の切れ目線は、直線状の横線と、その横線の一端の斜線との組合せによるくの字を斜線が内側に位置するように横にして連続して並べたくの字状の屈曲線であって、前記屈曲線が、屈曲部では曲線状に曲がり、先端部分及び末端部分ともに開封方向に対して外側に曲がった変形３の字状に形成され、該変形３の字の前記横線が同一線上にならぶように同一方向につなぎ部分を介在させて連続して設けられていることを特徴とする、帯状の開封構造である。
【０００８】
このように請求項２の発明によれば、くの字状の屈曲線が、屈曲部では曲線状に曲がり、先端部分及び末端部分とも開封方向に対して外側に曲がった変形３の字状に形成され、該変形３の字の前記横線が同一線上にならぶように同一方向につなぎ部分を介在させて連続して設けられているので、開封した際、帯状の開封構造を除いた紙箱の容器部分の切り口は丸みを帯び、手で触っても痛くならない。
【０００９】
また、請求項３の発明は、請求項１又は２の発明において、前記２本の連続して並べた屈曲線は、帯の横方向の中心線に対して上下対称に設けられていることを特徴とする、帯状の開封構造である。
【００１０】
このように請求項３の発明によれば、２本の連続して並べた屈曲線は、帯の横方向の中心線に対して上下対称に設けられているので、帯状の開封構造をミシン目状の切れ目線に沿って引き裂くと、きれいに平行に開口部が現れる。
【００１１】
また、請求項４の発明は、請求項１、２又は３記載の帯状の開封構造を開口予定部に設けたダンボール箱又は紙箱である。
【００１２】
【発明の実施の形態】
本発明の帯状の開封構造を一実施形態に基づいて以下に詳細に説明する。
本発明の帯状の開封構造（１０）は、例えば図１に示すように、紙箱（２０）等の開口予定部に、開封方向に沿って先端部分と末端部分を曲げた曲線状の切れ目線（３）が断続的に同一位相で規則的に二列平行に設けられた構造からなる。
【００１３】
さらに詳しく述べるならば、本発明の帯状の開封構造は、例えば、図１、図２に示すように、前記曲線状の切れ目線（３）は、直線状の横線（１）と、その横線の一端の斜線（２）との組合せによるくの字を斜線が内側に位置するように横にして連続して並べたくの字状の屈曲線（３）であって、前記屈曲線が、屈曲部（４）では曲線状に曲がり、先端部分（５）及び末端部分（６）ともに矢印で示した開封方向に対して外側に曲がった変形３の字状に形成されている。
また、該変形３の字の前記横線（１）が同一線上にならぶように同一方向につなぎ部分（ｔ）を介在させて連続して設けた帯状の開封構造（１０）である。
【００１４】
図２（ａ）、（ｂ）にしたがって本発明の帯状の開封構造をさらに詳細に説明する。
すなわち、切れ目線を、従来のくの字を横にして連続して並べたくの字状の屈曲線の、開封方向に沿って先端部分（５）と末端部分（６）をそれぞれ帯状の開封構造（１０）に対して外側方向に曲げて（Ｒ１  、Ｒ２  ）、また、屈曲部（４）も丸みを付け（Ｒ３  ）、変形３の字状に変更している。
【００１５】
このようにすることにより、隣り合う切れ目線の先端部分と末端部分の距離（Ｌ１  ）は、従来の帯状の開封構造の隣り合う切れ目線の先端部分と末端部分の距離（Ｌ２  ）と同等に保たれ（Ｌ１  ＝Ｌ２  ）、従来の開封構造と同様な開封機能と開封強度が確保される。
また、開封後は図３に示すように開封後の切り口（２１）が丸みを帯びるので、触れても手が痛くならず、いわゆるバリアフリー型の開封構造である。
【００１６】
また、このような切り口が丸みを帯びる開封構造を開口予定部に設けたダンボール箱や紙箱は、解体する際などに手指を傷めることがなく有用である。
厚手で硬度のある板紙やダンボールを用いた紙容器の場合には、特に効果が顕著である。
【００１７】
本発明の帯状の開封構造は、紙箱や段ボール箱の外周面に対して、水平に設けても良いし、斜めに設けても良い。
【００１８】
【発明の効果】
上記のように、本発明の帯状の開封構造は切断面が丸みを帯びているため、手指に触れても痛くなく、安全で、紙箱やダンボール箱の側面や天面の開口予定部に使用可能である。
【図面の簡単な説明】
【図１】本発明の帯状の開封構造を設けた紙箱の一実施例を示す、平面説明図である。
【図２】（ａ）は本発明の帯状の開封構造の一実施例を拡大して示す、平面説明図である。
（ｂ）は（ａ）と対応して示す、従来の帯状構造の開封構造を拡大して示す、平面説明図である。
【図３】本発明の帯状の開封構造を設けた紙箱を開封した際の切り口部分の状態を示す、平面説明図である。
【図４】従来の帯状の開封構造を設けた紙箱の一例を示す、斜視説明図である。
【図５】図４の紙箱の帯状の開封構造を破って紙箱を開封した状態を示す、斜視説明図である。
【図６】従来の帯状の開封構造の一例を拡大して示す、平面説明図である。
【図７】図６の帯状の開封構造を破った状態を示す、平面説明図である。
【符号の説明】
１‥‥直線状の横線
２‥‥斜線
３‥‥屈曲線、曲線状の切れ目線
４‥‥屈曲部
５‥‥先端部分
６‥‥末端部分
１０‥‥帯状の開封構造
２０‥‥紙箱等の紙容器
２１‥‥紙箱等の切り口の先端部分
１００‥‥従来の帯状の開封構造
１０１‥‥紙箱等の切り口の先端部分
ｔ‥‥つなぎ部分
【図１】
2004175366.tif 000003
【図２】
2004175366.tif 000004
【図３】
2004175366.tif 000005
【図４】
2004175366.tif 000006
【図５】
2004175366.tif 000007
【図６】
2004175366.tif 000008
【図７】
2004175366.tif 000009